(57)【要約】【課題】装置内に異物が混入した場合であっても、照明カバーに異物の影が写り込まず、長期に及んで照明の美観を保つことが可能なエレベーター用乗りかご内照明装置を提供する。【解決手段】このエレベーター用乗りかご内照明装置の場合、エレベーターの乗りかご１内の照明カバー２と照明灯９との間に設けられた虫除け部材として機能する光透過型内部カバー４には、虫の死骸等の異物ａを周囲に移動させる凸状の傾斜部５が設けられる以外に、照明カバー２の隙間から乗りかご１内へ異物ａが落下しないように移動してきた異物ａを受け止めて溜めることができる起立部７を有する不透明な保持部６を持たせているため、保持部６に堆積した異物ａは見え難くなる。また、保持部６の底面に設けられた異物堆積検知部が異物ａの保持部６に堆積した状態を電気的に検知するため、装置内に溜まった異物aの堆積状態を適確に把握することができる。【選択図】図１
2017210312.tif 000002
【特許請求の範囲】
【請求項１】
エレベーターの乗りかご内に設けられると共に、照明灯と当該照明灯の下方に配置される照明カバーとの間に光透過型内部カバーを設けた構造のエレベーター用乗りかご内照明装置において、
前記光透過型内部カバーは、装置内に混入する異物を周辺部に移動させる凸状の傾斜部と、前記傾斜部の周辺部に設けられて前記異物を保持する保持部と、前記保持部の周辺部に設けられて前記乗りかごの運転時の振動に伴う当該保持部からの前記異物を受け止めて前記照明カバーの隙間から当該乗りかご内への当該異物の落下を防止する起立部と、を持つことを特徴とするエレベーター用乗りかご内照明装置。
【請求項２】
請求項１記載のエレベーター用乗りかご内照明装置において、
前記光透過型内部カバーにおける前記保持部は不透明であることを特徴とするエレベーター用乗りかご内照明装置。
【請求項３】
請求項１又は２記載のエレベーター用乗りかご内照明装置において、
前記光透過型内部カバーにおける前記保持部には異物堆積検知部が設けられたこと特徴とするエレベーター用乗りかご内照明装置。
【請求項４】
請求項３記載のエレベーター用乗りかご内照明装置において、
前記異物堆積検知部は、複数の電極を絶縁部を介在させて対向させた構造を持つと共に、前記異物の検知を当該複数の電極の間に堆積した当該異物に流れる電流値の検知によって行うことを特徴とするエレベーター用乗りかご内照明装置。
【請求項５】
請求項４記載のエレベーター用乗りかご内照明装置において、
前記異物堆積検知部は、前記複数の電極と前記絶縁部とが同一平面を成す構造であることを特徴とするエレベーター用乗りかご内照明装置。
【発明の詳細な説明】
【技術分野】
【０００１】
本発明は、エレベーターの乗りかご内の美観を長期間保つことが可能なエレベーター用乗りかご内照明装置に関する。
【背景技術】
【０００２】
従来、エレベーターの乗りかご内に設けられる照明装置は、高い意匠性が要求されており、照明灯の明るさや色合い等を顧客の要望に合わせて設置し、その美観を維持する必要がある。一般的なエレベーター用乗りかご内照明装置の場合、乗りかごの天井に照明カバーが取り付けられており、照明カバーの直上に照明灯を固定するための保持金具が設けられ、保持金具によって蛍光灯等の照明灯が装着される構造となっている。
【０００３】
ところが、照明装置における内部の照明カバーに虫の死骸や埃等の異物が混入することがあり、こうした場合には照明灯の光を介して照明カバーに異物の影が写り込んで美観を損うことになってしまう。こうした事態を対策するため、保守点検管理者が定期的な清掃を行うようにしているが、状況によっては利用者（乗客）側から異物が溜まっている旨の連絡を受け、しばしば不定期に清掃作業を行う場合もある。
【０００４】
そこで、このような状況を対策するための技術も提案されており、例えば虫の死骸によってライトカバーが見苦しくなるのを簡単な構成によって防止すること及び簡単に清掃できる「エレベータ乗りかご照明装置」（特許文献１参照）が挙げられる。
【先行技術文献】
【特許文献】
【０００５】
【特許文献１】特開２００２−８７７３９号公報
【発明の概要】
【発明が解決しようとする課題】
【０００６】
上述した特許文献１に係る技術では、照明装置内に虫の死骸や埃等の異物が混入しても照明カバーには異物の影（異物が虫の死骸であれば点状の影となる）が写り込まずに長期に及んで照明の美観を保つことができるように、蛍光灯とその下方に配置されるライトカバーとの間に上方に略凹曲面を持つ虫受け部材を設け、周辺に虫の死骸溜めを形成することにより、蛍光灯の真下に落下した虫の死骸をエレベーターを運転している間に発生する僅かな振動によって虫受け部材の周辺に移動させ、蛍光灯の真下の鉋域にはほとんど虫の死骸が溜まらずに虫の死骸が黒ずんで見えるような状況を防止できるようにしたものである。即ち、ここでの虫受け部材は、虫の死骸を周辺部に移動させる部分とその周囲の隆起した箇所で虫の死骸を貯める部分とを有する光透過型内部カバーとして構成される。
【０００７】
しかしながら、光透過型内部カバーとなる虫受け部材を上方に略凹曲面を持つ形状としただけでは、エレベーターの運転中の振動を利用しても、虫の死骸が移動させる部分の途中で溜まったり、或いは周囲に移動したとしても虫の死骸を貯める部分（隆起した箇所）で虫の死骸を纏めて保持する構造となっていないため、依然として照明カバーに虫の死骸の影が写り込む虞や照明カバーの隙間から虫の死骸が乗りかご内へ落下してしまう虞がある他、虫の死骸を貯める部分で虫の死骸がどの程度溜まっているかを検知できないといった問題がある。
【０００８】
本発明は、このような問題点を解決すべくなされたもので、その主たる技術的課題は、装置内に異物が混入した場合であっても、照明カバーに異物の影が写り込まず、長期に及んで照明の美観を保つことが可能なエレベーター用乗りかご内照明装置を提供することにある。
【０００９】
また、本発明の他の技術的課題は、装置内に溜まった異物の堆積状態を適確に把握できるエレベーター用乗りかご内照明装置を提供することにある。
【課題を解決するための手段】
【００１０】
上記主たる技術的課題を達成するため、本発明の一形態は、エレベーターの乗りかご内に設けられると共に、照明灯と当該照明灯の下方に配置される照明カバーとの間に光透過型内部カバーを設けた構造のエレベーター用乗りかご内照明装置において、光透過型内部カバーは、装置内に混入する異物を周辺部に移動させる凸状の傾斜部と、傾斜部の周辺部に設けられて異物を保持する保持部と、保持部の周辺部に設けられて乗りかごの運転時の振動に伴う当該保持部からの異物を受け止めて照明カバーの隙間から当該乗りかご内への当該異物の落下を防止する起立部と、を持つことを特徴とする。
【発明の効果】
【００１１】
本発明によれば、上記構成により、装置内に異物が混入した場合であっても、照明カバーに異物の影が写り込まず、長期に及んで照明の美観を保つことが可能となる。上記した以外の課題、構成及び効果は、以下の実施の形態の説明により明らかにされる。
【図面の簡単な説明】
【００１２】
【図１】本発明の実施例に係るエレベーター用乗りかご内照明装置が適用された乗りかごの基本構成を正面方向から示した概略図である。
【図２】図１に示すエレベーター用乗りかご内照明装置に備えられる光透過型内部カバーの要部となる保持部と保持部内に配備された異物堆積検知部との概略構成を拡大して示した図である。
【図３】図２に示される異物堆積検知部の要部の電極構成を一部破断して示した外観斜視図である。
【図４】図３に示した電極を含む異物堆積検知部の等価回路を示したブロック図である。
【発明を実施するための形態】
【００１３】
以下に、本発明のエレベーター用乗りかご内照明装置について、実施例を挙げ、図面を参照して詳細に説明する。
【実施例】
【００１４】
図１は、本発明の実施例に係るエレベーター用乗りかご内照明装置が適用された乗りかごの基本構成を正面方向から示した概略図である。
【００１５】
図１を参照すれば、実施例に係るエレベーター用乗りかご内照明装置は、エレベーターの乗りかご１内に設けられるもので、具体的には、天井３に設けられた半透明や乳白色等の照明カバー２と、保持具１０によって照明筐体１１の天井付近に固定設置された照明灯（汎用的には蛍光灯が用いられる）９と、照明カバー２と照明灯９との間に設けられた虫除け部材として機能する光透過型内部カバー４と、を含んで構成される。
【００１６】
このうち、光透過型内部カバー４は、装置内に混入する虫の死骸や埃等の異物ａを周辺部に移動させる凸状の傾斜部５と、傾斜部５の周辺部に設けられて異物ａを保持する不透明な保持部６と、保持部６の周辺部に設けられて乗りかご１の運転時の振動に伴う保持部６からの異物ａを受け止めて照明カバー２の隙間からの乗りかご１内への異物ａの落下を防止する起立部７と、を持つように構成されている。
【００１７】
ここで、傾斜部５の形状は、照明カバー２の形状に応じて例えば円錐形状や角錘形状を適宜選択すれば良い。こうした場合の傾斜部５の傾斜面の傾斜は、水平より１５度以上、６０度以下の間の角度にすることが望ましい。また、傾斜部５は透明であることが望ましいが、半透明や乳白色等であっても良い。
【００１８】
図２は、光透過型内部カバー４の要部となる保持部６と保持部６内に配備された異物堆積検知部との概略構成を拡大して示した図である。
【００１９】
図２を参照すれば、起立部７の間の凹部に存在する保持部６の底面には、傾斜部５から落下した異物ａを受け止めた上で電気的に検知できるように、電極８ａと電極８ｂとの間に絶縁部８ｃを介在させて対向させた構造の電極部８を含む異物堆積検知部が設けられ、異物堆積検知部によって異物ａの検知を電極８ａと電極８ｂとの間に堆積した異物ａに流れる電流値の検知によって行うことが可能となっている。
【００２０】
図３は、上述した異物堆積検知部の要部の電極構成を一部破断して示した外観斜視図である。
【００２１】
図３を参照すれば、異物堆積検知部の電極部８は、上述したように電極８ａと電極８ｂとが樹脂材の充填を例示できる絶縁部８ｃを介して所定の距離で対向している構造となっている。ここでの絶縁部８ｃの厚みは、全長数ｍｍ程度の羽虫等の異物ａの堆積を検知できるようにするために１ｍｍ以下とすることが望ましい。また、電極８ａ、８ｂと絶縁材８ｃとは、電極部８上に堆積した虫の死骸を清掃し易くするために、同一平面を成す構造とすることが望ましい。更に、電極８ａ、８ｂの対向部の位置は、傾斜部５から移動させられて堆積した虫の死骸等の異物ａを検出し易い位置、例えばより傾斜部５の終端に近い位置に設けることが好ましい。加えて、電極８ａ、８ｂの対向部を蛇行させた形状とすることにより、検知面積を広げる構造とすることが好ましい。
【００２２】
図４は、上述した電極８ａ、８ｂを含む異物堆積検知部の等価回路を示したブロック図である。
【００２３】
図４を参照すれば、異物堆積検知部の等価回路は、電極部８の絶縁部８ｃを介して所定の距離で対向する電極８ａ、８ｂは、電池や定電圧電源装置等で構成された電源１２と電流検知部１３とが直列に接続され、電流検知部１３から電流検知出力１４を得られる構成となっている。この異物堆積検知部によれば、電極８ａ、８ｂの間に絶縁部８ｃが介在しているため、異物ａが堆積されていなければ電源１２から印加された電圧が電極８ａ、８ｂの間に印加されても電流は流れない。これに対し、図２に示すように電極８ａ、８ｂの間の絶縁部８ｃの箇所に虫の死骸等の異物ａが電極８ａ、８ｂに触れるように堆積した場合、虫の死骸に含まれる水分等によって僅かな電流が流れる。電流検知部１３はこの堆積した虫の死骸を通して流れる微小電流を検知し、例えば図示しないエレベーターの乗りかご１に対する制御盤や監視装置に電流検知出力１４を送出すれば、虫の死骸等の異物ａが光透過型内部カバー４の保持部６に堆積しており、清掃等の対処作業が必要である旨を保守点検管理者へ伝えることが可能となる。この結果、装置内に溜まった異物ａの堆積状態を適確に把握することができるようになる。
【００２４】
以上に説明した通り、実施例に係るエレベーター用乗りかご内照明装置によれば、エレベーターの乗りかご１内の照明カバー２と照明灯９との間に設けられた虫除け部材として機能する光透過型内部カバー４には、虫の死骸等の異物ａを周囲に移動させる凹状の傾斜部５が設けられる以外に、照明カバー２の隙間から乗りかご１内へ異物ａが落下しないように移動してきた異物ａを受け止めて溜めることができる起立部７を有する不透明な保持部６を持たせているため、保持部６に堆積した虫の死骸等の異物ａは見え難くなり、装置内に虫の死骸や埃等の異物ａが混入した場合であっても、照明カバー２に異物の影が写り込まず、長期に及んで照明の美観を保つことが可能となる。また、保持部６の底面に設けられた異物堆積検知部が虫の死骸等の異物ａの保持部６に堆積した状態を適確に検知できて保守点検管理者へ伝えることが可能となるため、照明装置の清掃が必要であることを適確に把握できるようになる。
【００２５】
尚、実施例で説明したエレベーター用乗りかご内照明装置における虫の死骸等の異物ａが光透過型内部カバー４の保持部６に堆積している状況を知る方法は、図４に示した等価回路による電流検知手法に限らず、例えば保持部６を全て透明な材料とし、透明な材料で構成された保持部６の底面に不透明な目地を取り外し可能に設けるようにしても良い。こうした構造の場合には、目地を取り外すことによって保持部６に堆積している虫の死骸等の異物ａの有無を目視で確認することが可能になる。また、図１に示すエレベーターの乗りかご１は１系統である構成を説明したが、乗りかご１が２系統以上併設される多系統のエレベーターでも同様に適用できるため、本発明のエレベーター用乗りかご内照明装置は実施例で開示した形態に限定されない。
【符号の説明】
【００２６】
１  乗りかご
２  照明カバー
３  天井
４  光透過型内部カバー
５  傾斜部
６  保持部
７  起立部
８  電極部
８ａ、８ｂ  電極
８ｃ  絶縁部
９  照明灯
１０  保持具
１１  照明筐体
１２  電源
１３  電流検知部
１４  電流検知出力
ａ  異物
【図１】
2017210312.tif 000003
【図２】
2017210312.tif 000004
【図３】
2017210312.tif 000005
【図４】
2017210312.tif 000006